(57)【特許請求の範囲】
【請求項１】
開口部を有するショーケース本体内をダクト板により前記開口部に連なる商品収納庫と、送風機と冷却器とを備える熱交換機を配設する冷気循環ダクトとに区画し、該冷気循環ダクト端を冷気エアカーテンの吹出口と吸込口として前記開口部の上下に臨ませる冷凍冷蔵オープンショーケースに配設する温度制御装置であって、庫内温度を測定する温度測定器と、制御目標温度、低温警報温度および低温警報時間を設定する設定器と、前記温度測定器と設定器とが入力側に接続されてこれら温度測定器と設定器からの入力に基づいて庫内温度が設定温度範囲に入るように、熱交換装置に冷媒を送る冷媒管の途中に設けた電磁弁の開閉動作を制御する制御装置と、前記温度測定器で測定された温度と設定器に設定された温度とを比較して測定温度が低温警報温度以下で、低温警報時間を経過したとき警報器に警報信号を出力する制御装置とを備える冷凍冷蔵オープンショーケースの温度制御装置において、庫内温度が低温警報温度にあるため、前記制御装置によって電磁弁を閉じて冷媒の循環を停止するよう制御した後にも、低温警報が継続される場合に、前記制御装置の出力側に接続され、前記電磁弁を一定時間毎に繰り返し開閉動作させる電磁弁制御回路を備えたことを特徴とする冷凍冷蔵オープンショーケースの温度制御装置。
【請求項２】
電磁弁制御回路への制御装置からの出力は、該制御装置から警報器への出力と同時に行うことを特徴とする請求項１記載の冷凍冷蔵オープンショーケースの温度制御装置。
【発明の詳細な説明】
【０００１】
【発明の属する技術分野】
本発明は冷凍冷蔵オープンショーケースの庫内温度の温度制御装置に関するものである。
【０００２】
【従来の技術】
冷凍冷蔵オープンショーケースは周知のように、開口部を有するショーケース本体内をダクト板により前記開口部に連なる商品収納庫と、送風機と冷却器とを備える熱交換機を配設する冷気循環ダクトとに区画し、該冷気循環ダクト端を冷気エアカーテンの吹出口と吸込口として前記開口部の上下に臨ませ、吸込口から取り込んだエアを冷気循環ダクト内に配設の冷却器としての熱交換機で熱交換して冷気とし上端の吹出口から吹き出し、商品収納庫の開口部をこの冷気エアカーテンで閉塞するとともに庫内を所定温度に冷却している。
【０００３】
庫内温度は内部に陳列の要冷凍冷蔵商品の品質を維持するために、一定に保持する必要があるが、そのために、庫内温度を測定する温度測定器を設置し、ここで測定された庫内温度の値に基づいて、熱交換機に冷媒を送る冷媒管の途中に設けた電磁弁の開閉を制御装置で制御する。
【０００４】
図３はこの温度制御のためのブロック図で、従来は、冷気の吹出口またはその近傍に設置の庫内温度を測定する温度測定器１と、制御目標温度およびそのディファレンシャル、低温警報温度、低温警報時間を設定する設定器２がマイクロコンピュータなどを利用する制御装置３の入力側に接続され、制御装置３の出力側には冷媒の供給をオンオフするための電磁弁４と低温発生時にこれを音や光で報知する警報器５が接続される。
【０００５】
そして、温度測定器１で測定された庫内温度の温度信号と、設定器２で設定された制御目標温度の設定値などが制御装置３に入力され、制御装置３では温度測定器１で測定された庫内温度と設定器２で設定された制御目標温度とを比較して、庫内温度が設定温度である制御目標温度の温度範囲に入るように温度調節機器に制御信号を出力し温度制御する。
【０００６】
温度測定器１で測定された庫内温度が設定器２で設定された低温警報温度に達すると、制御装置３から警報器５に警報信号が出力され、警報器５が作動するが、その動作を次に図４のフローチャートについて説明する。
【０００７】
設定器２で設定された制御目標温度およびそのディファレンシャル、低温警報温値、低温警報時間などの設定値を制御装置３で読み込み〔ステップ（ア）〕、これらの値を基に設定温度の上限値と下限値とを算出し〔ステップ（イ）〕、さらに低温警報温度を算出する〔ステップ（ウ）〕。
【０００８】
次に、温度測定器１で測定された庫内温度の測定値を制御装置３で読み込み〔ステップ（エ）〕、この測定値と前記〔ステップ（イ）〕の段階で算出した設定温度の上限値とを比較する〔ステップ（オ）〕。
【０００９】
比較の結果、測定値が上限値よりも大きい場合、すなわち測定された庫内温度が設定温度の上限値よりも高い場合は、電磁弁４をオンする信号を制御装置３から電磁弁４に出力し〔ステップ（カ）〕、電磁弁４を開き、冷却器への冷媒供給量を増加し冷却能力を高め、庫内温度を下げて、制御目標温度の範囲に入るように制御する。
【００１０】
前記〔ステップ（オ）〕で比較の結果、測定値が上限値よりも小さい場合は、次に測定値を前記〔ステップ（イ）〕の段階で算出した設定温度の下限値と比較する〔ステップ（キ）〕。
【００１１】
比較の結果、測定値が下限値よりも小さい場合、すなわち測定された庫内温度が設定温度の下限値よりも低い場合は、電磁弁４をオフする信号を制御装置３から電磁弁４に出力し〔ステップ（ク）〕、電磁弁４を閉じ、冷却器への冷媒供給量を減少させ冷却能力を低下させ、庫内温度を上げて制御目標温度の範囲に入るように制御する。
【００１２】
前記〔ステップ（キ）〕で比較の結果、測定値が下限値よりも大きい場合および、測定値が下限値よりも小さくて前記〔ステップ（ク）〕の段階で電磁弁４を閉じた場合は、さらに次にこの測定値を前記〔ステップ（ウ）〕の段階で算出した低温警報温度と比較し〔ステップ（ケ）〕、比較の結果、測定値が低温警報温度よりも大きい場合は、異常低温は発生していないものと判断して低温警報時間のカウントをリセットし〔ステップ（ス）〕、低温警報を解除して〔ステップ（セ）〕、温度測定値の読み込みを再開する〔ステップ（エ）〕。
【００１３】
これに対して、前記〔ステップ（ケ）〕で比較の結果、測定値が低温警報温度よりも小さい場合は、低温警報時間のカウントを開始し〔ステップ（コ）〕、低温警報温度の状態が予め設定されている設定時間に達すれば、異常低温が発生しているものと判断して〔ステップ（サ）〕、制御装置３から警報器５に低温警報信号を出力し〔ステップ（シ）〕、警報器５で低温警報する。
【００１４】
その後、〔ステップ（エ）〕の段階に戻り、庫内温度の測定値の読み込みを再開し、この測定値を設定温度の上限値、下限値と比較し、測定温度が制御目標温度の範囲になければ電磁弁４をオンオフ制御して、測定温度を制御目標温度の範囲に入るよう制御し、さらに低温警報温度値と比較してこれよりも低ければ警報し、これを繰り返す。
【００１５】
【発明が解決しようとする課題】
このように庫内温度の制御は電磁弁のオンオフにより行うものであるが、これは制御装置からの制御信号の出力で電磁弁をオンオフできるという前提にたつものである。しかし、制御装置からオフ信号を出力しているにもかかわらず、何らかの理由によって電磁弁そのものが開の状態になったままで異常低温が発生した場合は、これをオフさせて閉じる手段がないため、異常低温を解消することができなかった。
【００１６】
本発明の目的は前記従来例の不都合を解消し、制御装置からオフ信号を出力しているにもかかわらず、何らかの理由によって電磁弁そのものが開の状態になったままで異常低温が発生した場合に、電磁弁を別途制御する手段を付加することにより、かかる事態でも電磁弁のオンオフ制御を可能として異常低温の発生を防止できる冷凍冷蔵オープンショーケースの温度制御装置を提供することにある。
【００１７】
【課題を解決するための手段】
本発明は前記目的を達成するため、第１に、開口部を有するショーケース本体内をダクト板により前記開口部に連なる商品収納庫と、送風機と冷却器とを備える熱交換機を配設する冷気循環ダクトとに区画し、該冷気循環ダクト端を冷気エアカーテンの吹出口と吸込口として前記開口部の上下に臨ませる冷凍冷蔵オープンショーケースに配設する温度制御装置であって、庫内温度を測定する温度測定器と、制御目標温度、低温警報温度および低温警報時間を設定する設定器と、前記温度測定器と設定器とが入力側に接続されてこれら温度測定器と設定器からの入力に基づいて庫内温度が設定温度範囲に入るように、熱交換装置に冷媒を送る冷媒管の途中に設けた電磁弁の開閉動作を制御する制御装置と、前記温度測定器で測定された温度と設定器に設定された温度とを比較して測定温度が低温警報温度以下で、低温警報時間を経過したとき警報器に警報信号を出力する制御装置とを備える冷凍冷蔵オープンショーケースの温度制御装置において、庫内温度が低温警報温度にあるため、前記制御装置によって電磁弁を閉じて冷媒の循環を停止するよう制御した後にも、低温警報が継続される場合に、前記制御装置の出力側に接続され、前記電磁弁を一定時間毎に繰り返し開閉動作させる電磁弁制御回路を備えたことにより、例えば電磁弁を閉じる際に、電磁弁に異物が挟まって弁が完全に閉じない状態であるために異常低温が発生した場合でも、電磁弁の開閉を制御する電磁弁制御回路からの出力によって電磁弁を挟まった異物を振り落とすように一定時間に繰り返して開閉動作を与えることで、異物の除去ができるため、電磁弁を完全に閉じることができるとともに、異常低温状態の継続を防止できる。
【００１８】
第２に、電磁弁制御回路への制御装置からの出力は、該制御装置から警報器への出力と同時に行うことにより、異常低温発生時には電磁弁の開閉制御を確実に行うことができ、また、電磁弁制御回路からの出力による電磁弁の開閉制御は異常低温発生時のみすることで、設定温度の下限値以下になった場合は制御装置からの出力で直接制御することもできる。
【００１９】
【発明の実施の形態】
以下、図面について本発明の実施の形態を詳細に説明する。図１は本発明の冷凍冷蔵オープンショーケースの温度制御装置の実施の形態を示す制御ブロック図で、図３について既に説明した従来例と同一の構成要素には同一の参照符号を付してある。
【００２０】
本発明の制御ブロックも、基本的には従来と同様、前記したように冷気の吹出口またはその近傍に設置の庫内温度を測定する温度測定器１と、制御目標温度およびそのディファレンシャル、低温警報温度、低温警報時間を設定する設定器２がマイクロコンピュータなどを利用する制御装置３の入力側に接続され、制御装置３の出力側には冷媒の供給をオンオフするための電磁弁４と低温発生時にこれを音や光で報知する警報器５が接続される。
【００２１】
本発明ではかかる構成に加えて、低温異常発生時に電磁弁４の開閉を格別に制御する手段として、電磁弁４を一定時間毎に開閉制御する電磁弁制御回路６を制御装置３と電磁弁４との間に設け、制御回路３からの出力を電磁弁制御回路６を介して電磁弁４に導入した。
【００２２】
次に動作を説明すると、温度測定器１で測定された庫内温度の測定値が、設定器２で設定された制御目標温度などの値に基に設定される上限値、下限値の範囲内に入るように制御する動作、および低温警報温度以下の場合に警報する動作は従来と同様である。
【００２３】
かかる動作を図２のフローチャートについてまず説明すると、既に説明したものと同様であるが、設定器２で設定された制御目標温度およびそのディファレンシャル、低温警報温値、低温警報時間などの設定値を制御装置３で読み込み〔ステップ（ア）〕、これらの値を基に設定温度の上限値と下限値とを算出し〔ステップ（イ）〕、さらに低温警報温度を算出する〔ステップ（ウ）〕。
【００２４】
次に、温度測定器１で測定された庫内温度の測定値を制御装置３で読み込み〔ステップ（エ）〕、この測定値と前記〔ステップ（イ）〕の段階で算出した設定温度の上限値とを比較する〔ステップ（オ）〕。
【００２５】
比較の結果、測定値が上限値よりも大きい場合、すなわち測定された庫内温度が設定温度の上限値よりも高い場合は、電磁弁４をオンする信号を制御装置３から電磁弁４に出力し〔ステップ（カ）〕、電磁弁４を開き、冷却器への冷媒供給量を増加し冷却能力を高め、庫内温度を下げて、制御目標温度の範囲に入るように制御する。
【００２６】
前記〔ステップ（オ）〕で比較の結果、測定値が上限値よりも小さい場合は、次に測定値を前記〔ステップ（イ）〕の段階で算出した設定温度の下限値と比較する〔ステップ（キ）〕。
【００２７】
比較の結果、測定値が下限値よりも小さい場合、すなわち測定された庫内温度が設定温度の下限値よりも低い場合は、電磁弁４をオフする信号を制御装置３から電磁弁４に出力し〔ステップ（ク）〕、電磁弁４を閉じ、冷却器への冷媒供給量を減少させ冷却能力を低下させ、庫内温度を上げて制御目標温度の範囲に入るように制御する。
【００２８】
前記〔ステップ（キ）〕で比較の結果、測定値が下限値よりも大きい場合および、測定値が下限値よりも小さくて前記〔ステップ（ク）〕の段階で電磁弁４を閉じた場合は、さらに次にこの測定値を前記〔ステップ（ウ）〕の段階で算出した低温警報温度と比較し〔ステップ（ケ）〕、比較の結果、測定値が低温警報温度よりも大きい場合は、異常低温は発生していないものと判断して低温警報時間のカウントをリセットし〔ステップ（ス）〕、低温警報を解除して〔ステップ（セ）〕、温度測定値の読み込みを再開する〔ステップ（エ）〕。
【００２９】
これに対して、前記〔ステップ（ケ）〕で比較の結果、測定値が低温警報温度よりも小さい場合は、低温警報時間のカウントを開始し〔ステップ（コ）〕、低温警報温度の状態が予め設定されている設定時間に達すれば、異常低温が発生しているものと判断して〔ステップ（サ）〕、制御装置３から警報器５に低温警報信号を出力し〔ステップ（シ）〕、警報器５で低温警報する。
【００３０】
同時に制御装置３から電磁弁制御回路６に出力して、ここから電磁弁４を閉にする信号を電磁弁４に出力し電磁弁４を閉じる〔ステップ（ソ）〕。その後、電磁弁４の閉時間のカウントを開始し〔ステップ（タ）〕、電磁弁４の閉時間が設定時間に達すれば〔ステップ（チ）〕、電磁弁４の閉時間のカウントをリセットして〔ステップ（ツ）〕、電磁弁４を開にする信号を電磁弁制御回路６から出力して〔ステップ（テ）〕電磁弁４を開き、今度は電磁弁４の開時間のカウントを開始し〔ステップ（ト）〕する。
【００３１】
そして、電磁弁４の開時間が設定時間に達すれば〔ステップ（ナ）〕、電磁弁４の開時間のカウントをリセットして〔ステップ（ニ）〕、電磁弁４を閉にする信号を電磁弁制御回路６から出力して〔ステップ（ヌ）〕電磁弁４を閉じる。
【００３２】
このように低温警報が発せられたときは、同時に電磁弁制御回路６からの出力で電磁弁４を一定時間毎に開閉制御し、庫内温度の測定値が低温警報温度以下に下がらないように制御する。
【００３３】
【発明の効果】
以上述べたように本発明の冷凍冷蔵オープンショーケースの温度制御装置は、第１に、開口部を有するショーケース本体内をダクト板により前記開口部に連なる商品収納庫と、送風機と冷却器とを備える熱交換機を配設する冷気循環ダクトとに区画し、該冷気循環ダクト端を冷気エアカーテンの吹出口と吸込口として前記開口部の上下に臨ませる冷凍冷蔵オープンショーケースに配設する温度制御装置であって、庫内温度を測定する温度測定器と、制御目標温度、低温警報温度および低温警報時間を設定する設定器と、前記温度測定器と設定器とが入力側に接続されてこれら温度測定器と設定器からの入力に基づいて庫内温度が設定温度範囲に入るように、熱交換装置に冷媒を送る冷媒管の途中に設けた電磁弁の開閉動作を制御する制御装置と、前記温度測定器で測定された温度と設定器に設定された温度とを比較して測定温度が低温警報温度以下で、低温警報時間を経過したとき警報器に警報信号を出力する制御装置とを備える冷凍冷蔵オープンショーケースの温度制御装置において、庫内温度が低温警報温度にあるため、前記制御装置によって電磁弁を閉じて冷媒の循環を停止するよう制御した後にも、低温警報が継続される場合に、前記制御装置の出力側に接続され、前記電磁弁を一定時間毎に繰り返し開閉動作させる電磁弁制御回路を備えたことにより、例えば電磁弁を閉じる際に、電磁弁に異物が挟まって弁が完全に閉じない状態であるために異常低温が発生した場合でも、電磁弁の開閉を制御する電磁弁制御回路からの出力によって電磁弁を挟まった異物を振り落とすように一定時間毎に繰り返して開閉動作を与えることで、異物の除去ができるため、電磁弁を完全に閉じることができるとともに、異常低温状態の継続を防止できる。
【００３４】
第２に、電磁弁制御回路への制御装置からの出力は、該制御装置から警報器への出力と同時に行うことにより、異常低温発生時には電磁弁の開閉制御を確実に行うことができ、また、電磁弁制御回路からの出力による電磁弁の開閉制御は異常低温発生時のみすることで、設定温度の下限値以下になった場合は制御装置からの出力で直接制御することもできるものである。
【図面の簡単な説明】
【図１】本発明の冷凍冷蔵オープンショーケースの温度制御装置の実施の形態を示す制御ブロック図である。
【図２】本発明の冷凍冷蔵オープンショーケースの温度制御装置の温度制御の動作を示すフローチャートである。
【図３】従来の冷凍冷蔵オープンショーケースの温度制御装置の制御ブロック図である。
【図４】従来の冷凍冷蔵オープンショーケースの温度制御装置の温度制御の動作を示すフローチャートである。
【符号の説明】
１…温度測定器
２…設定器
３…制御装置
４…電磁弁
５…警報器
６…電磁弁制御回路
【図１】
0003556798.tif 000002
【図２】
0003556798.tif 000003
【図３】
0003556798.tif 000004
【図４】
0003556798.tif 000005